(57)【特許請求の範囲】
【請求項１】
波長λのＧＨｚ帯の電波を送受信するアンテナを製作する方法において、最大辺の長さ寸法がλ／８未満である直方体状の直方体アンテナ素子と、
上記直方体アンテナ素子の６面中の相互に隣接する２面に対向する２面を有するＬ形立体無給電素子とを配列し、
上記直方体アンテナ素子とＬ形立体無給電素子とのそれぞれに、あらかじめ導通ラインを接続しておき、
電気絶縁性の材料によって、前記直方体アンテナ素子およびＬ形立体無給電素子を包囲し、かつ前記導通ラインの少なくとも一部分を露出させてインサート成形することを特徴とする、チップ状広帯域アンテナの製作方法。
【請求項２】
波長λのＧＨｚ帯の電波を送受信するアンテナを製作する方法において、最大辺の長さ寸法がλ／８未満である直方体状の直方体アンテナ素子と、
上記直方体アンテナ素子の６面中の相互に隣接する２面に対向する２面を有するＬ形立体無給電素子とを配列し、
電気絶縁性の材料によって、前記直方体アンテナ素子およびＬ形立体無給電素子を包囲し、かつ、上記直方体アンテナ素子およびＬ形立体無給電素子それぞれの底面の少なくとも一部分を露出させてインサート成形することを特徴とする、チップ状広帯域アンテナの製作方法。
【請求項３】
波長λのＧＨｚ帯の電波を送受信するアンテナを製作する方法において、各辺の長さ寸法がλ／８未満である長方形状の平板アンテナ素子の２枚と、
上記平板アンテナ素子の４辺中の相互に隣接する２辺に対向する２辺を有するＬ形無給電素子の２枚とを構成し、
基板チップの表面に、上記平板アンテナ素子とＬ形無給電素子とを配列するとともに、
該基板チップの裏面にも平板アンテナ素子とＬ形無給電素子とを配列して、
表面の平板アンテナ素子と裏面の平板アンテナ素子とを、基板チップを介して正対せしめ、かつ、表面のＬ形無給電素子と裏面のＬ形無給電素子とを、基板チップを介して正対せしめ、
表面の平板アンテナ素子と裏面の平板アンテナ素子、及び、表面のＬ形無給電素子と裏面のＬ形無給電素子を、それぞれ相互にスルーホールを介して接続導通せしめることを特徴とする、チップ状広帯域アンテナの製作方法。
【請求項４】
波長λのＧＨｚ帯の電波を送受信するアンテナにおいて、各辺の長さ寸法がλ／８未満である長方形状の平板アンテナ素子の２枚と、
上記平板アンテナ素子の４辺中の相互に隣接する２辺に対向する２辺を有するＬ形無給電素子の２枚とを有し、
基板チップの表面に、上記平板アンテナ素子とＬ形無給電素子とを配列されるとともに、
前記基板チップの裏面にも、平板アンテナ素子とＬ形無給電素子とが配列されていて、
表面の平板アンテナ素子と裏面の平板アンテナ素子とが、基板チップを介して正対しており、かつ、表面のＬ形無給電素子と裏面のＬ形無給電素子とが、基板チップを介して正対しており、
表面の平板アンテナ素子と裏面の平板アンテナ素子、及び、表面のＬ形無給電素子と裏面のＬ形無給電素子が、それぞれ相互にスルーホールを介して接続導通されていることを特徴とする、チップ状広帯域アンテナ。
【発明の詳細な説明】
【技術分野】
【０００１】
本発明は、ＧＨｚ帯域の電波を送受信するためのアンテナ装置に係り、特に広帯域特性を有し、かつ、実用性が高くて使い勝手が良いように改良したものである。
ただし本発明においてＧＨｚ帯とは、０．１〜８０ＧＨｚの周波数帯域をいう。
【背景技術】
【０００２】
ＧＨｚ帯の電波に共振するアンテナを構成する技術の基本は、線条アンテナに定在波を乗せることである。
アンテナを小形ならしめるため、上記の線条アンテナを波長λの１／４に共振させるように構成する技術が広く知られている。この場合、線条アンテナの機械的長さは約λ／４となる。
電波に限らず、弦でも棒でも気体でも、基本的にはλ／４の整数倍で共振（共鳴）し、特殊な構造を設けなければλ／４未満で共振しない。
【０００３】
λ／４のアンテナを更に短くするため、線条アンテナを湾曲せしめてコイル状に形成したり、繰り返し折り曲げてメアンダー形に形成したりする技術が公知であるが、どのように曲げてもλ／４に共振させるという基本的原理は同じであって、アンテナ素子の電気的長さや機械的長さ寸法をλ／４未満ならしめるという技術的思想は未だ無かった。
先行技術として、特許文献４及び同５に挙げたように機械的寸法がλ／４未満のアンテナが研究されているが未公知である（内容の概要は、発明が解決しようとする課題の欄で説明する）。
【特許文献１】特開平６−１４０８２０号公報
【特許文献２】特開２００４−７４６０号公報
【特許文献３】特開２００３−３０４１１４号公報
【特許文献４】特願２００５−０９０８４３（未公知）
【特許文献５】特願２００５−２６９５２１（未公知）
【非特許文献１】株式会社オーム社発行  アンテナ工学ハンドブック  電子情報通信学会編
【発明の開示】
【発明が解決しようとする課題】
【０００４】
未公知の先願特開２００５−０９０８４３号においては、図４（Ａ）のようなアンテナが提案されている。本図の例においては、基板１の上に立体アンテナ素子２が搭載されている。この立体アンテナ素子は直方体状をなし、最大辺の寸法がλ／８未満である。
このような立体アンテナ素子でも、相当のアンテナ性能を発揮する。
しかし、該立体アンテナ素子２に隣接せしめて立体無給電素子３を配置し、両者の間に静電容量を形成して容量結合すると、広帯域特性が得られる。
この発明は、十分なグランドの存在を前提として成立し得る。符号５は高周波電源である。
【０００５】
前掲の図４（Ａ）に示した先行技術について、アンテナ装置の体積を縮小させるため、図４（Ｂ）のように素子の背を低くして平板状化することが考えられる。しかし、（Ｂ）の実施形態のアンテナは（Ａ）の実施形態のアンテナに比してアンテナ性能がやや劣る。
そこで図４（Ｃ）のように、無給電素子の本体部８ａから延長部８ｂを延出させ、かつ平板アンテナ素子６の辺の長さ寸法をλ／４未満とすることによって優れたアンテナ特性が得られる（未公知の先願特開２００５−２６９５２１号）。
【０００６】
図４を参照して以上に説明した先行技術に係るアンテナ装置は、非常に小形であり、それぞれ優れたアンテナ性能を有しているが、これらの発明装置は、強いて言えば未だ試験研究室的な成功の段階から大きくは進んでいない。すなわち工業的製品として、さらには市場に流通せしむべき商品として、加工性，生産性，使い勝手、意匠的価値などについて工夫改良の余地が有る。
【０００７】
本発明は以上に述べた事情に鑑みて為されたものであって、その目的とするところは、小形で、しかも優れたアンテナ性能を有するという未公知の先願発明の長所を損なうことなく改良し、工業的製品としての観点および商品としての観点から、加工性，生産性，使い勝手、および意匠的価値を向上せしめるにある。
【課題を解決するための手段】
【０００８】
上記の目的を達成するために創作した本発明の請求項１に係るチップ状広帯域アンテナ製作方法の構成は、
（図１参照）ＧＨｚ帯の電波を送受信するアンテナを製作する方法において、電波の波長をλとし、
最大辺の長さ寸法がλ／８未満である直方体状の直方体アンテナ素子１０と、
上記直方体アンテナ素子の「６面中の、相互に隣接する２面」に対向する２面を有するＬ形立体無給電素子９とを配列し、
上記直方体アンテナ素子とＬ形立体無給電素子とのそれぞれに、あらかじめ導通ライン１４ａ，１４ｂを接続しておき、
電気絶縁性の材料によって、前記直方体アンテナ素子１０およびＬ形立体無給電素子９を包囲し、かつ前記導通ラインの少なくとも一部分を露出させてインサート成形することを特徴とする。
【０００９】
請求項２の発明に係るチップ状広帯域アンテナの製作方法の構成は、
ＧＨｚ帯の電波を送受信するアンテナを製作する方法において、電波の波長をλとし、
最大辺の長さ寸法がλ／８未満である直方体状の直方体アンテナ素子１０と、
上記直方体アンテナ素子の「６面中の、相互に隣接する２面」に対向する２面を有するＬ形立体無給電素子９とを配列し、
電気絶縁性の材料によって、前記直方体アンテナ素子１０およびＬ形立体無給電素子９を包囲し、かつ、上記直方体アンテナ素子およびＬ形立体無給電素子それぞれの底面の少なくとも一部分を露出させてインサート成形することを特徴とする。
【００１０】
請求項３の発明に係るチップ状広帯域アンテナの製作方法の構成は、
（図２参照）ＧＨｚ帯の電波を送受信するアンテナを製作する方法において、
電波の波長をλとし、  各辺の長さ寸法がλ／８未満である長方形状の平板アンテナ素子６と、
上記平板アンテナ素子の「４辺中の、相互に隣接する２辺」に対向する２辺を有するＬ形無給電素子８とを、基板チップ１２上に配列することを特徴とする。
【００１１】
請求項４の発明に係るチップ状広帯域アンテナの製作方法の構成は、
（図３参照）ＧＨｚ帯の電波を送受信するアンテナを製作する方法において、
電波の波長をλとし、
各辺の長さ寸法がλ／８未満である長方形状の平板アンテナ素子６の２枚と、
上記平板アンテナ素子の「４辺中の、相互に隣接する２辺」に対向する２辺を有するＬ形無給電素子８の２枚とを構成し、
基板チップ１２の表面に、上記平板アンテナ素子とＬ形無給電素子８とを配列するとともに、
該基板チップの裏面にも平板アンテナ素子とＬ形無給電素子８とを配列して、
表面の平板アンテナ素子と裏面の平板アンテナ素子とを、基板チップを介して正対せしめ、かつ、表面のＬ形無給電素子と裏面のＬ形無給電素子とを、基板チップを介して正対せしめ、
表面の平板アンテナ素子と裏面の平板アンテナ素子、及び、表面のＬ形無給電素子と裏面のＬ形無給電素子を、それぞれ相互にスルーホール１３ａ，１３ｂを介して接続導通せしめることを特徴とする。
【００１２】
請求項５の発明に係るチップ状広帯域アンテナの構成は、
（図２参照）ＧＨｚ帯の電波を送受信するアンテナにおいて、電波の波長をλとし、
各辺の長さ寸法がλ／８未満である長方形状の平板アンテナ素子６と、
上記平板アンテナ素子の「４辺中の、相互に隣接する２辺」に対向する２辺を有するＬ形無給電素子８とが、基板チップ１２上に配列されて１個のアッセンブリ部品が形成され、前記双方のアンテナ素子の間が容量結合されていることを特徴とする。
【００１３】
請求項６の発明に係るチップ状広帯域アンテナの構成は、
（図３参照）ＧＨｚ帯の電波を送受信するアンテナにおいて、電波の波長をλとし、
各辺の長さ寸法がλ／８未満である長方形状の平板アンテナ素子（６）の２枚と、
上記平板アンテナ素子の「４辺中の、相互に隣接する２辺」に対向する２辺を有するＬ形無給電素子８の２枚とを有し、
基板チップ１２の表面に、上記平板アンテナ素子とＬ形無給電素子８とを配列されるとともに、
前記基板チップの裏面にも、平板アンテナ素子とＬ形無給電素子８とが配列されていて、
表面の平板アンテナ素子と裏面の平板アンテナ素子とが、基板チップを介して正対しており、かつ、表面のＬ形無給電素子と裏面のＬ形無給電素子とが、基板チップを介して正対しており、
表面の平板アンテナ素子と裏面の平板アンテナ素子、及び、表面のＬ形無給電素子と裏面のＬ形無給電素子が、それぞれ相互にスルーホール１３ａ，１３ｂを介して接続導通されていることを特徴とする。
【発明の効果】
【００１４】
請求項１に係るチップ状広帯域アンテナ製作方法を適用して製作したアンテナ装置は、
直方体アンテナ素子の最大辺の長さ寸法がλ／８未満であるから、これをパッケージした電気絶縁体チップは超小型（例えば最大辺の長さ寸法１０ｍｍ）であり、しかも広帯域の同調特性を有し、
小さいながらアンテナ装置アッセンブリとしての機能を具備し、市場流通性を有している。
しかも簡素な外観を呈し、意匠的にも優れていて商品価値が高い。
その上、導通ラインを備えていてその一部分が露出しているので、無線機メーカーは当該アンテナアッセンブリを購入して高周波回路に接続する作業を迅速容易に遂行することができて好都合である。
このように実用的価値の高いアンテナ装置が、アンテナ専門工場で生産されて市場に供給されることはアンテナ産業の独立性を確実ならしめ、専門技術の分業化を通じて無線機器産業の発展に寄与するところ多大である。
【００１５】
請求項２に係るチップ状広帯域アンテナ製作方法を適用して製作したアンテナ装置は、請求項１におけると同様に直方体アンテナ素子の最大辺の長さ寸法がλ／８未満であるから、これをパッケージした電気絶縁体チップは超小型（例えば最大辺の長さ寸法１０ｍｍ）であり、しかも広帯域の同調特性を有し、小さいながらアンテナ装置アッセンブリとしての機能を具備していて、市場流通性を有している。
しかも簡素な外観を呈し、意匠的にも優れていて商品価値が高い。
その上、２個のアンテナ素子それぞれの一部分がインサート成形チップから露出しているので、無線機メーカーは当該アンテナアッセンブリを購入して高周波回路基板に搭載するだけで迅速容易に電気的に接続することができて好都合である。
このように実用的価値の高いアンテナ装置が、アンテナ専門工場で生産されて市場に供給されることはアンテナ産業の独立性を確実ならしめ、専門技術の分業化を通じて無線機器産業の発展に寄与するところ多大である。
【００１６】
請求項３に係るチップ状広帯域アンテナ製作方法を適用して製作したアンテナ装置は、
平板アンテナ素子の最大辺の長さ寸法がλ／４未満であるから、これをＬ形無給電素子と共に基板チップに搭載したアンテナ装置は超小型（例えば最大辺の長さ寸法１１ｍｍ）であり、しかも広帯域の同調特性を有し、小さいながらアンテナ装置アッセンブリとしての機能を具備し、市場流通性を有している。
しかも簡素な外観を呈し、意匠的にも優れていて商品価値が高い。
無線機メーカーは当該アンテナアッセンブリを購入して高周波回路に接続する作業を迅速容易に遂行することができて好都合である。
このように実用的価値の高いアンテナ装置が、アンテナ専門工場で生産されて市場に供給されることはアンテナ産業の独立性を確実ならしめ、専門技術の分業化を通じて無線機器産業の発展に寄与するところ多大である。
【００１７】
請求項４に係るチップ状広帯域アンテナ製作方法を適用して構成したアンテナ装置は、請求項３におけると同様に平板アンテナ素子の最大辺の長さ寸法がλ／４未満であるから、これをＬ形無給電素子と共に基板チップに搭載したアンテナ装置は超小型（例えば最大辺の長さ寸法１１ｍｍ）である。しかも、請求項３のアンテナに比して単純な平板状（１層，単板）でなく厚さ方向成分を有しているので、より広範囲の同調周波数帯域が得られる。
このように、小さいながらアンテナ装置アッセンブリとしての機能を具備し、市場流通性を有している。
しかも簡素な外観を呈し、意匠的にも優れていて商品価値が高い。
無線機メーカーは当該アンテナアッセンブリを購入して高周波回路に接続する作業を迅速容易に遂行することができて好都合である。
このように実用的価値の高いアンテナ装置が、アンテナ専門工場で生産されて市場に供給されることはアンテナ産業の独立性を確実ならしめ、専門技術の分業化を通じて無線機器産業の発展に寄与するところ多大である。
【００１８】
請求項５に係るチップ状広帯域アンテナを適用すると、直方体アンテナ素子の最大辺の長さ寸法がλ／８未満であるから、これをＬ形立体無給電素子と共にパッケージした電気絶縁体チップは超小型（例えば最大辺の長さ寸法１０ｍｍ）であり、しかも広帯域の同調特性を有し、小さいながらアンテナ装置アッセンブリとしての機能を具備し、市場流通性を有している。
しかも簡素な外観を呈し、意匠的にも優れていて商品価値が高い。
その上、導通ラインを備えていてその一部分が露出しているので、無線機メーカーは当該アンテナアッセンブリを購入して高周波回路に接続する作業を迅速容易に遂行することができて好都合である。
このように実用的価値の高いアンテナ装置が、アンテナ専門工場で生産されて市場に供給されることはアンテナ産業の独立性を確実ならしめ、専門技術の分業化を通じて無線機器産業の発展に寄与するところ多大である。
【００１９】
請求項６に係るチップ状広帯域アンテナを適用すると、請求項５におけると同様に
直方体アンテナ素子の最大辺の長さ寸法がλ／８未満であるから、これをＬ形立体無給電素子と共にパッケージした電気絶縁体チップは超小型（例えば最大辺の長さ寸法１０ｍｍ）であり、しかも広帯域の同調特性を有し、
小さいながらアンテナ装置アッセンブリとしての機能を具備し、市場流通性を有している。しかも簡素な外観を呈し、意匠的にも優れていて商品価値が高い。
その上、２個のアンテナ素子のそれぞれが、その一部分が露出しているので、無線機メーカーは当該アンテナアッセンブリを購入して高周波回路に接続する作業を迅速容易に遂行することができて好都合である。
【発明を実施するための最良の形態】
【００２０】
図１（Ａ）は本発明装置に１実施形態を模式的に描いた斜視図である。ただし構成機能を理解し易いように模式化してあるので、写実的な投影図ではない。
直方体アンテナ素子１０とＬ形立体無給電素子９とが対向離間して配置されている。
その平面図を本図１（Ｂ）に示す。
寸法設定の基本は、直方体アンテナ素子１０の１辺Ｌ１である。この寸法は、送受信する電波の波長をλとしてλ／８よりも短い。
【００２１】
該直方体アンテナ素子１０の他辺の長さ寸法Ｌ２は、上記Ｌ１よりも長くない。
直方体アンテナ素子１０とＬ形立体無給電素子９との間隔寸法Ｌ５，Ｌ６は、前記の寸法Ｌ１に比して著しく小さい。この間隔寸法は、寸法Ｌ１に対する割合で定められるのではなく、双方の素子（１０，９）の間の静電容量が適正となるように設定されるが、結果においては寸法Ｌ１に比して格段に小さい。
図示の寸法Ｌ３は寸法Ｌ１に比してほぼ等しく、寸法Ｌ４は寸法Ｌ１よりも大きくない（寸法Ｌ１よりも大きくすることは可能であるが、大きくすると、アンテナ装置全体が大形・大重量・高コストになることに見合うメリットが無い）。
【００２２】
（図１（Ａ）参照）直方体アンテナ素子１０及びＬ形立体無給電素子９の高さ寸法Ｈは前記の寸法Ｌ１よりも小さめに設定することが望ましい（寸法Ｌ１と等しくし、又は寸法Ｌ１よりも大きくすることも可能であるが、大きくすると、アンテナ装置全体が大形・大重量・高コストになることに見合うメリットが無い）。
説明の便宜上、本図１（Ａ）におけるＬ形立体無給電素子９および直方体アンテナ素子１０の上面を底面と呼ぶ。この実施形態のアンテナ装置を無線機の基板に装着するときは底面を基板に当接させて固定，接続するのが基本である（変形した応用を妨げない）。
【００２３】
図１（Ａ）において、直方体アンテナ素子１０とＬ形立体無給電素子９とは、底面を同一平面に揃えて配置され、電気絶縁性の材料でインサート成形して電気絶縁体チップ１１が形成されている。
上記直方体アンテナ素子１０およびＬ形立体無給電素子９のそれぞれの底面に、Ｌ字状の導通ライン１４ａ，１４ｂが接続導通されていて、その一部分（本例においては斑点を付して示した部分）が電気絶縁体チップ１１の表面に露出している。
【００２４】
本実施形態のアンテナ装置を使用する際は、無線機の高周波回路基板に形成された電極に上記の導通ラインを当接せしめるだけで電気的に接続される。この際、当接部が必ずしも直流的に完全接触導通しなくても、高周波的には完全に接続される。
図１を参照して以上に述べた構成を第１の実施形態と呼ぶ、この構成は請求項１および請求項５に対応している。
つぎに、この図１を援用して請求項２および請求項６対応する第２の実施形態について説明する。
【００２５】
第２の実施形態に係るアンテナ装置の平面図は図１（Ｂ）と同様である。
図１（Ａ）について、第２の実施形態に係るアンテナ装置は、導通ライン１４ａ、及び導通ライン１４ｂを備えていない。
その代り、第２の実施形態においては、直方体アンテナ素子１０およびＬ形立体無給電素子９それぞれの底面が、電気絶縁体チップ１１の表面に露出している。この第２の実施形態において、上記直方体アンテナ素子１０およびＬ形立体無給電素子９の底面は、少なくともその一部分が露出していれば足りる。
【００２６】
図２は本発明の第３の実施形態を示し、（Ａ）は模式的な外観斜視図であり、（Ｂ）は模式的な分解斜視図である。ただし、読図が容易なように、平板状部材の厚さ寸法を拡大してあり、写実的な投影図ではない。この図３の実施形態は請求項３および請求項７に対応している。
第３の実施形態における平板アンテナ素子６およびＬ形無給電素子８の平面図は前掲の図１（Ｂ）とほぼ相似である。ただし、寸法設定の基準となる平板アンテナ素子６の辺長寸法Ｌ１は送受信電波の波長λの１／４未満である。
【００２７】
基板チップ１２は、平板アンテナ素子６およびＬ形無給電素子８を搭載し得る最小限の形状寸法に設定されている（該平板アンテナ素子６およびＬ形無給電素子８は、先に述べたように図１（Ｂ）と相似である）。ただし、本実施形態に係るアンテナ装置を製作する場合、要すれば電気絶縁体チップ１１の形状寸法を上記「最小限」よりも適宜に大きくすることを妨げない。
分解斜視図である図２（Ｂ）には、平板アンテナ素子６およびＬ形無給電素子８と基板チップ１２との対応関係を点線矢印ａ，ｂ，ｃで表してある。
【００２８】
本例においては、プリント基板上に導通パターンによって平板アンテナ素子６およびＬ形無給電素子８を構成してある。本実施形態に係るアンテナ装置を製作する場合、必ずしも導通パターンによって構成しなくてもよく、例えば印刷技術を適用しても、蒸着技術を適用しても良い。
この第３の実施形態に係るアンテナ装置は、前記第１，第２の実施形態に比して、平面的寸法は若干大きくなる（第１，第２の実施形態は辺長λ／８未満、第３，第４の実施形態は辺長λ／４未満）。しかし、高さ（厚さ）寸法は格段に短縮できる。
【００２９】
図３は第４の実施形態に係るアンテナ装置を示し、請求項４および請求項８に対応している。（Ａ）は模式的な外観斜視図、（Ｂ）は模式的な分解斜視図であり、前掲の図２におけると同様に厚さ寸法を拡大して描いてある。
本図３に描かれている基板チップ１２は、前掲の図２における基板チップ１２と類似の構成部材である。この基板チップには本来、表裏の区別が無い。しかし、説明の便宜上、図の上側を表、下側を裏と仮称する。
【００３０】
基板チップ１２の表側に平板アンテナ素子６とＬ形無給電素子８とが配置されていることは、前記第３の実施形態（図２）と同様である。しかし本第４の実施形態（図３）
においては、基板チップ１２の裏側にも平板アンテナ素子６とＬ形無給電素子８とが配置されている。
表側の平板アンテナ素子６と裏側の平板アンテナ素子６とは同じ姿勢で図の上下に対向しており、表側のＬ形無給電素子８と裏側のＬ形無給電素子８とも同じ姿勢で図の上下に対向している。
【００３１】
基板チップ１２に垂直な補助軸ｚ，ｚ′を想定し（図３（Ｂ）参照）、この補助軸に沿って、スルーホール１３ａ，スルーホール１３ｂを穿つ。図３（Ａ）の組立図において、メッキを施して表裏のアンテナ素子を電気的に接続導通させる。これにより、平板アンテナ素子およびＬ形無給電素子のそれぞれが厚さを持ち、その結果同調周波数帯が広くなる。次に、その理由について考察する。
【００３２】
図１（Ａ）の第１、第２の実施形態と、図２（Ａ）の第３の実施形態とを比較対照すると、第１、第２の実施形態は素子が高さ寸法Ｈを有し、第３の実施形態はほとんど高さ寸法（厚さ寸法）を有しない。
素子の高さだけに着目すると、第４の実施形態（図３（Ａ））は、上記両者の中間的な構造である。その結果、電気的性能も両者の中間的になることは推察するに難くない。
同調周波数帯について見れば、図１（Ａ）の第１、第２の実施形態においては、図２（Ａ）の第３の実施形態におけるよりも広い。
【００３３】
こうした背景において、図２の第３の実施形態に構成部材を追加して図３（Ａ）の第４の実施形態にすると、周波数帯域幅が広くなる（第１，第２の実施形態に近づく）。
以上を要約すると、第４の実施形態（図３）は、第３の実施形態（図２）を改良して、アンテナ装置の重量や製作コストの増加を低く押さえて、同調周波数帯域幅を拡大したものと言うことができる。
【図面の簡単な説明】
【００３４】
【図１】本発明の第１の実施形態に係るアンテナ装置を示し、（Ａ）は模式的な斜視図、（Ｂ）は平面図
【図２】本発明の第３の実施形態に係るアンテナ装置を示し、（Ａ）は模式的な外観斜視図、（Ｂ）は分解斜視図
【図３】本発明の第４の実施形態に係るアンテナ装置を示し、（Ａ）は模式的な外観斜視図、（Ｂ）は分解斜視図
【図４】ＧＨｚ帯の電波を送受信するに適したアンテナ装置の先行技術の３例を描いた斜視図
【符号の説明】
【００３５】
１…基板
２…立体アンテナ素子
３…立体無給電素子
４…グランド板
５…高周波電源
６…平板アンテナ素子
７…平板無給電素子
８…Ｌ形無給電素子
８ａ…本体部
８ｂ…延長部
９…Ｌ形立体無給電素子
１０…直方体アンテナ素子
１１…電気絶縁体チップ
１２…基板チップ
１３ａ…平板アンテナ素子に穿たれたスルーホール
１３…延長部に穿たれたスルーホール
１４ａ…Ｌ形立体無給電素子に設けられた導通ライン
１５ｂ…直方体アンテナ素子に設けられた導通ライン
ａ…本体部と基板チップとの対応を表す矢印
ｂ…延長部と基板チップとの対応を表す矢印
ｃ…平板アンテナ素子と基板チップとの対応を表す矢印
Ｈ…直方体アンテナ素子の高さ寸法
Ｌ１…直方体アンテナ素子の一辺の長さ寸法
Ｌ２…直方体アンテナ素子の他辺の長さ寸法
Ｌ３…Ｌ形立体無給電素子本体部の一辺の長さ寸法
Ｌ４…Ｌ形立体無給電素子本体部の他辺の長さ寸法
Ｌ５…Ｌ形立体無給電素子と直方体アンテナ素子との間隔寸法
Ｌ６…Ｌ形立体無給電素子と直方体アンテナ素子との間隔寸法
ｚ…補助軸
ｚ′…補助軸
【図１】
0004611872.tif 000002
【図２】
0004611872.tif 000003
【図３】
0004611872.tif 000004
【図４】
0004611872.tif 000005